【手続補正書】
【提出日】平成27年3月10日(2015.3.10)
【手続補正１】
【補正対象書類名】明細書
【補正対象項目名】００９４
【補正方法】変更
【補正の内容】
【００９４】
述べた例示的な実施形態に対して、本発明の要旨を逸脱しない範囲内で、様々な変更及び付加をすることができる。例えば、上記に開示した実施形態が特定の特徴について言及するが、本発明の範囲には、異なる特徴の組合せを有する実施形態、及び上記した特徴の全てを含まない実施形態もまた含まれる。
本発明の要旨は以下のとおりである。
（１）再循環する水溶液から食物汚れ粒子を除去する方法であって、
（ａ）少なくとも一つの洗浄工程及び少なくとも一つのすすぎ工程を含み、前記洗浄工程は、少なくとも、前記水溶液を再循環させることを含む、洗浄サイクルを行う工程と；
（ｂ）前記再循環する水溶液に凝集剤を加えて、前記食物汚れ粒子を、前記食物汚れ粒子の少なくともいくつかより高い密度を有する凝集した粒子へと凝集させる工程と；
（ｃ）液体サイクロンを用いて、水の密度より高い密度を有する前記凝集した粒子を前記再循環する水溶液から分離する工程であって、前記水の密度は前記再循環する水溶液の条件において測定する、工程と、
を含む方法。
（２）前記洗浄サイクルの少なくとも一部の間、前記液体サイクロンを使用する、（１）に記載した方法。
（３）前記洗浄サイクルの間、前記液体サイクロンを連続的に使用する、（１又は２）のいずれかに記載した方法。
（４）前記凝集剤を加えることが、前記凝集剤を含む洗剤組成物を加えることを含む、（１〜３）のいずれか一項に記載した方法。
（５）前記凝集した粒子を分離することが、前記再循環する水溶液を濃縮流及び透過流に分けることを含む、（１〜４）のいずれか一項に記載した方法。
（６）前記透過流と前記再循環する水溶液とを合わせることを更に含む、（１〜５）のいずれか一項に記載した方法。
（７）前記凝集剤がカチオン性凝集剤を含む、（１〜６）のいずれか一項に記載した方法。
（８）水溶液から粒子を除去する方法であって、
（ａ）水溶液中に凝集した食物粒子を形成する工程であって、前記凝集した粒子は水の密度より高い密度を有する、工程と；
（ｂ）機械的分離装置を用いて、前記凝集した食物粒子を前記水溶液から分離する工程であって、前記水の密度は前記水溶液の条件において測定する、工程と、
を含む方法。
（９）前記機械的分離装置が液体サイクロンである、（８）に記載した方法。
（１０）前記粒子の群を分離することが、水溶液を濃縮流及び透過流に分けることを含む、（８又は９）のいずれかに記載した方法。
（１１）前記透過流と前記水溶液とを合わせることを更に含む、（１０）に記載した方法。
（１２）凝集した食物粒子を水溶液から分離することが、前記凝集した食物粒子を前記凝集した食物粒子の密度に基づいて分離することを含む、（８〜１１）のいずれか一項に記載した方法。
（１３）前記凝集した食物粒子を密度に基づいて分離することが、最小限の密度差以上の密度を有する前記凝集した食物粒子を前記水溶液から分離すること含む、（１２）に記載した方法。
（１４）食器洗浄溶液から食物汚れを除去する方法であって、
（ａ）食器洗浄溶液中に凝集した食物汚れ粒子を形成する工程であって、前記凝集された食物汚れ粒子は、凝集前の少なくとも一つの食物汚れ粒子より高い密度を有する、工程と；
（ｂ）液体サイクロンを用いて、前記凝集した食物汚れ粒子を、食器洗浄溶液から、濃縮流及び透過流へと分離する工程であって、前記凝集した食物汚れ粒子を、前記凝集した食物汚れ粒子の密度に基づいて分離する、工程と；
（ｃ）透過流と食器洗浄溶液とを合わせる工程と、
を含む方法。
（１５）凝集した食物汚れ粒子を形成することが、凝集剤を前記食器洗浄溶液に加えることを含む、（１４）に記載した方法。
（１６）凝集剤を前記食器洗浄溶液に加えることが、凝集剤を含む洗剤組成物を加えることを含む、（１５）に記載した方法。
（１７）凝集剤の前記食器洗浄溶液への添加が断続的に起こる、（１５又は１６）のいずれかに記載した方法。
（１８）凝集剤の前記食器洗浄溶液への添加が連続的に起こる、（１５又は１６）のいずれかに記載した方法。
（１９）前記凝集剤がカチオン性凝集剤を含む、（１５〜１８）のいずれか一項に記載した方法。
（２０）前記凝集剤がアニオン性凝集剤を含む、（１５〜１８）のいずれか一項に記載した方法。
（２１）界面活性剤、アルカリ源、及び凝集剤を含む洗剤組成物。
（２２）前記凝集剤がカチオン性凝集剤を含む、（２１）に記載した洗剤組成物。
（２３）前記凝集剤がカチオン性アクリルアミドコポリマーエマルジョンを含む、（２１又は２２）のいずれかに記載した洗剤組成物。
（２４）前記凝集剤がアニオン性凝集剤を含む、（２１）に記載した洗剤組成物。
【手続補正２】
【補正対象書類名】特許請求の範囲
【補正対象項目名】全文
【補正方法】変更
【補正の内容】
【特許請求の範囲】
【請求項１】
再循環する水溶液から食物汚れ粒子を除去する方法であって、
（ａ）少なくとも一つの洗浄工程及び少なくとも一つのすすぎ工程を含み、前記洗浄工程は、少なくとも、前記水溶液を再循環させることを含む、洗浄サイクルを行う工程と；
（ｂ）前記再循環する水溶液に凝集剤を加えて、前記食物汚れ粒子を、前記食物汚れ粒子の少なくともいくつかより高い密度を有する凝集した粒子へと凝集させる工程と；
（ｃ）液体サイクロンを用いて、水の密度より高い密度を有する前記凝集した粒子を前記再循環する水溶液から分離する工程であって、前記水の密度は前記再循環する水溶液の条件において測定する、工程と、
を含む方法。
【請求項２】
前記洗浄サイクルの少なくとも一部の間、前記液体サイクロンを使用する、請求項１に記載した方法。
【請求項３】
前記洗浄サイクルの間、前記液体サイクロンを連続的に使用する、請求項１又は２のいずれかに記載した方法。
【請求項４】
前記凝集剤を加えることが、前記凝集剤を含む洗剤組成物を加えることを含む、請求項１〜３のいずれか一項に記載した方法。
【請求項５】
前記凝集した粒子を分離することが、前記再循環する水溶液を濃縮流及び透過流に分けることを含む、請求項１〜４のいずれか一項に記載した方法。
【請求項６】
前記透過流と前記再循環する水溶液とを合わせることを更に含む、請求項１〜５のいずれか一項に記載した方法。
【請求項７】
前記凝集剤がカチオン性凝集剤を含む、請求項１〜６のいずれか一項に記載した方法。
【請求項８】
水溶液から粒子を除去する方法であって、
（ａ）水溶液中に凝集した食物粒子を形成する工程であって、前記凝集した粒子は水の密度より高い密度を有する、工程と；
（ｂ）機械的分離装置を用いて、前記凝集した食物粒子を前記水溶液から分離する工程であって、前記水の密度は前記水溶液の条件において測定する、工程と、
を含む方法。
【請求項９】
食器洗浄溶液から食物汚れを除去する方法であって、
（ａ）食器洗浄溶液中に凝集した食物汚れ粒子を形成する工程であって、前記凝集された食物汚れ粒子は、凝集前の少なくとも一つの食物汚れ粒子より高い密度を有する、工程と；
（ｂ）液体サイクロンを用いて、前記凝集した食物汚れ粒子を、食器洗浄溶液から、濃縮流及び透過流へと分離する工程であって、前記凝集した食物汚れ粒子を、前記凝集した食物汚れ粒子の密度に基づいて分離する、工程と；
（ｃ）透過流と食器洗浄溶液とを合わせる工程と、
を含み、前記凝集した食物汚れ粒子を形成することが、凝集剤を前記食器洗浄溶液に加えることを含む、方法。
【請求項１０】
界面活性剤、アルカリ源、及び凝集剤を含む洗剤組成物であって、
前記凝集剤がカチオン性凝集剤を含む、洗剤組成物。